(57)【特許請求の範囲】
【請求項１】
商品又は役務の内容を表わす画像情報を記憶する画像情報ファイル，個人に関する可変情報を記憶する可変情報ファイル，及び，前記可変情報ファイルの個々のデータを印刷媒体にプリントするプリント条件情報を記憶するプリント条件ファイルを備えた記憶手段を含み、
前記可変情報は、複数のフィールドに区分されており、
前記可変情報に含まれる前記フィールドの中からプリントするフィールドを選択するフィールド選択手段と、前記フィールド選択手段により選択されたフィールドの連結順序を入力する連結順序入力手段と、前記可変情報の中から選択する前記フィールドの選択条件を論理演算子及び関係演算子を用いて入力するフィールド選択条件入力手段とにより選択又は入力された情報、及び、前記フィールドを連結する際に空白を挿入して連結するか空白を挿入しないで連結するかを示す連結オプションを記憶する識別子に基づいて、前記プリント条件情報を生成するプリント条件指定手段と、
前記可変情報の個々のデータを、前記プリント条件情報に基づいてプリント用に編集するデータ編集処理手段と、
プリント内容のレイアウトを指示するレイアウト指示情報を生成するレイアウト指示手段と、
前記レイアウト指示情報に基づいて、前記データ編集処理手段で編集された個別情報及び前記画像情報を流し込むことにより、印刷可能な状態にする流し込み手段と
を含む可変プリントシステム。
【発明の詳細な説明】
【０００１】
【発明の属する技術分野】
本発明は、ダイレクトメール（ＤＭ），カタログ，商品台帳，カードなどの媒体を個別（パーソナル）に提供するプリントシステムに関し、特に、コンピュータを利用して、個々の顧客に適した製品媒体を作成／管理することができる可変プリントシステムに関するものである。
【０００２】
【従来の技術】
通信販売は、顧客が商品の実物を目にすることなく、カタログだけを見て商品の購入を行うことが多いので、通信販売が成果をあげるか否かは、カタログの内容に大きく依存する。
また、ＤＭによる商品案内などにおいても、購入者の嗜好が多種，多様化してきているので、商品掲載の内容は、極めて重要である。
【０００３】
カタログ印刷は、これを請け負う印刷業界において、コンピュータを利用した作成システムが盛んに使用されている。
この作成システムは、商品写真を画像データとして取り込むスキャナ装置と、商品のコード番号，名称，価格，機能，説明文などを文字データとして取り込むワードプロセッサなどの文字入力装置と、各商品ごとに取り込んだ画像データや文字データをデータべースとしてに蓄積する記憶装置などが含まれている。
【０００４】
コンピュータは、蓄積されたデータベースを用いて、所望の商品を所望のページに所望の態様によって割り付ける処理を行い、印刷用の版を出力して印刷している。
例えば、特開平３−３７６４９号公報や特開平３−３９７４５号公報は、コンピュータを利用して、商品の割り付け処理を行うためのチラシ／カタログ類の割り付け装置を開示している。
また、プリンターを使用し、個別情報をカラープリントするシステムについては、特開平７−１９９７９３号公報や特開平７−２００７０１号公報に開示されている。
【０００５】
【発明が解決しようとする課題】
近年は、消費者の趣味，趣向も多様化してきたために、個々の消費者の商品に対する好みが多岐に渡り、各消費者，顧客によって必要な商品，文字情報が異なって来ている。
例えば、ポイントカードなどの普及に伴い、その情報から高額消費者とそうでない消費者を識別して、商品や情報の提供内容を変えることが考えられる。同様にして、男性と女性、熟年層と若年層などの違いによって、内容を変えたＤＭやカタログなどを振り分ける必要がでてきている。
しかし、従来のカタログ作成システムは、同一内容のカタログを多数印刷して、多数の消費者に送付することを前提としているので、個人の趣味や趣向が十分に反映されているとはいえなかった。このために、カタログに掲載されている商品の中には、興味のない情報が含まれていた。
また、プリンターを使用して個別情報をカラープリントするシステムも存在するが、顧客の様々な属性情報から文字や画像に変換して出力するためには、その部分は、製品毎に個別のプログラムを作成して処理する必要があった。
例えば、獲得ポイントが高い消費者と獲得ポイントが低い消費者によって、それぞれの消費者に伝達したいメッセージを変えてプリントしたい場合に、ポイント数によってメッセージ内容を振り分ける処理は、得意先から製造を受注する印刷会社では、得意先毎にいろいろ対応して処理する必要が生じている。
【０００６】
本発明の課題は、個人の様々な属性情報に基づいて、各個人に応じたパーソナル媒体を、個別のプログラム開発をすることなく作成することができる可変プリントシステムを提供することである。
【０００７】
【課題を解決するための手段】
前記課題を解決するために、請求項１に係る発明は、商品又は役務の内容を表わす画像情報を記憶する画像情報ファイル（１１），個人に関する可変情報を記憶する可変情報ファイル（１２），及び，前記可変情報ファイルの個々のデータを印刷媒体にプリントするプリント条件情報を記憶するプリント条件ファイル（１３）を備えた記憶手段を含み、前記可変情報は、複数のフィールドに区分されており、前記可変情報に含まれる前記フィールドの中からプリントするフィールドを選択するフィールド選択手段（４３）と、前記フィールド選択手段により選択されたフィールドの連結順序を入力する連結順序入力手段（４５）と、前記可変情報の中から選択する前記フィールドの選択条件を論理演算子及び関係演算子を用いて入力するフィールド選択条件入力手段（４８）とにより選択又は入力された情報、及び、前記フィールドを連結する際に空白を挿入して連結するか空白を挿入しないで連結するかを示す連結オプションを記憶する識別子に基づいて、前記プリント条件情報を生成するプリント条件指定手段（２３）と、前記可変情報の個々のデータを、前記プリント条件情報に基づいてプリント用に編集するデータ編集処理手段（２２）と、プリント内容のレイアウトを指示するレイアウト指示情報を生成するレイアウト指示手段（２４）と、前記レイアウト指示情報に基づいて、前記データ編集処理手段で編集された個別情報及び前記画像情報を流し込むことにより、印刷可能な状態にする流し込み手段（２５）とを含む可変プリントシステムである。
【０００９】
【発明の実施の形態】
以下、図面等を参照しながら、本発明の実施の形態をあげて、さらに詳しく説明する。
図１は、本発明の一実施形態に係る可変プリントシステムの基本構成を示すブロック図である。
本実施形態の可変プリントシステムは、画像情報ファイル１１，可変情報ファイル１２，プリント条件ファイル１３等を記憶する記憶手段を備えている。
画像情報ファイル１１は、個人属性に依存しない固定画像と、個人属性に応じてプリントする必要のある可変画像が収録されるファイルである。
可変情報ファイル１２は、郵便番号，住所，氏名，年齢や趣味，商品選別フラグなどの属性情報が各顧客や消費者ごとに収録されるファイルである。
プリント条件ファイル１３は、各個人毎に可変情報ファイル１２中の何を、どういう条件の場合に、どう変換して、出力するのかなどのプリント条件が収録されるファイルである。
【００１０】
また、この可変プリントシステムは、データ編集処理部２２，プリント条件指定処理部２３，レイアウト指示処理部２４，流し込み処理部２５等の処理部を備えている。
プリント条件指定処理部２３は、可変情報ファイル１２のデータ仕様を入力し、レコード内容のうちで、どのフィールドデータを印刷するかを指示する部分である。
データ編集処理部２２は、プリント条件ファイル１３を参照して、条件に見合ったデータを可変情報ファイル１２から抽出し、プリント条件に従って条件に変換する部分である。
【００１１】
レイアウト指示処理部２４は、各個人によらず固定で印刷する部分と、各個人に応じて印刷する内容が変わる可変部分の画像流し込み枠，テキスト流し込み枠の位置，大きさを指定し、テキストに関しては、印刷する文字の色，書体，文字サイズ，印刷書式（中央揃え，左揃え，右揃え，両端揃え等）等を指定する部分である。
【００１２】
流し込み処理部２５は、レイアウト指示された箇所に、バリアブルデータファイル１５に設定されている情報に基づいて、画像ファイル１１から適した画像を抽出し、また、テキストの場合は、バリアブルデータファイル１５に設定されている情報を基にしてテキストデータを抽出し、各個人に応じた印刷内容をレイアウト指示された条件により印刷できるデータへと変換する部分である。
【００１３】
つぎに、本実施形態に係る可変プリントシステムの動作を、細部の構成と共に説明する。
得意先１との間で、パーソナル媒体６の製造を行なうために、通常、仕様書（設計書）２を作成する。この仕様書２は、各個人毎に印刷する内容として、郵便番号，住所，氏名などの可変情報と、性別に応じてある商品を振り分けて画像印刷すること等が記載される他に、印刷物のレイアウト，提供される個人情報データのデータ仕様などが記載されている。
得意先１は、この仕様書２に基づいて、印刷会社に可変情報データ１２Ｄや、カラー原稿５を支給する。
【００１４】
図２は、本実施形態に係る可変情報データの一例を説明する図である。
可変情報データ１２Ｄは、個人毎に郵便番号，住所，性別などが、通常１レコードづつ記録されている。データ仕様書３は、この可変情報データに対して、郵便番号がどの位置に記録されており、そのコード種類が何であるか等が記載されている。
【００１５】
一方、画像情報データ１１Ｄに関しては、カラー原稿５が支給され、スキャナ２１によって取り込んで補正等を行い、画像情報ファイル１１を得る場合もあるし、得意先１から補正済みの画像情報ファイル１１が支給される場合もある。
【００１６】
レイアウト指示書４は、どのように印刷紙面をレイアウトするかを定義するためのものである。レイアウトは、固定部と可変部とに分かれている。固定部のデータの作成は、ＤＴＰシステムなどによって行われる。
レイアウト指示部２４は、可変部（可変情報を印刷する部分）に対して、画像の貼り込み位置／大きさ／貼り込み書式（中央揃え，上下左右揃えなど）を設定する。また、レイアウト指示部２４は、テキストについても同様に、テキストの貼り込み位置，流し込み枠の大きさ，書体，文字サイズ，文字色，貼り込み角度等を設定することによって、レイアウト指示ファイル１４を作成する。
【００１７】
プリント条件指定部２３は、データ仕様書３に基づいて、可変情報データ１２Ｄの仕様を設定して行く。
【００１８】
図３は、本実施形態に係る可変情報データの設定内容を示す図である。
Ｎｏ．の項目には、可変情報データ１２Ｄのフィールド番号を設定する。
フィールド番号は、図２の可変情報データの場合に、郵便番号が「１」，住所１が「２」，住所２が「３」，住所３が「４」，氏名が「５」，性別フラグが「６」，ポイント数が「７」となる。開始の項目は、上記フィールドが開始するバイト位置を設定する。
【００１９】
属性の項目は、数値データであるのか、ＡＮＫデータであるのか、日本語データであるのかを設定する。
Ｐの項目は、パック／アンパックのどちらであるのかを設定する。
コード種類の項目は、各フィールドに記録されているデータがＡＳＣＩＩ，ＥＢＣＤＩＣ等であったり、ＪＩＳ，Ｓｈｉｆｔ−ＪＩＳ等であるのかなどを設定する。
コメントの項目は、各フィールドの内容が何であるのかを設定することによって、修正やプリント条件設定する際の目安となるものである。
【００２０】
可変情報データの仕様を設定したら、次に、可変情報データのうち、どのデータを所定の流し込み枠に印刷するかを設定する。
【００２１】
図４は、本実施形態に係る流し込み枠の設定画面の一例を示す図である。
この設定画面４０は、テキスト／画像選択欄４１と、フィールド欄４２と、矢印欄４４と、連結順序欄４５と、矢印欄４６と、出力グループ欄４７と、フィールド選択欄４８と、設定オプション欄４９等を備えている。
【００２２】
仕様書２は、流し込み枠番号と、その流し込み枠番号にどのフィールドをどういう条件の場合に印刷するかを明記してある。
本実施形態の仕様書２には、「流し込み枠番号１に郵便番号，枠番号２に住所１と住所２と住所３を空白無しで連結，枠番号３に氏名，枠番号４に男性でポイント数が５０点以下の人にはＡという画像を，男性でポイント数が５１点以上の人にはＢという画像を，女性でポイント数が５０点以下の人にはＣという画像を，女性でポイント数が５１点以上の人にはＤという画像を印刷する」と記載されているものとする。
【００２３】
つぎに、図５から図９を参照しながら、流し込み枠の設定の仕方について説明する。
図４において、テキスト／画像選択欄４１は、テキストが選択された場合には、下矢印ボタンはアクティブ状態となり、画像が選択された場合には、下矢印ボタンは非アクティブ状態となる。
フィールド欄４３は、エディター入力可能とする。
テキストが選択された場合には、レコードフィールド番号の頭に「＃」を付けて設定し、フィールド中のバイト位置を指定する場合は、「（相対的なフィールド開始位置：相対的なフィールド終了位置）」として設定する。例えば、フィールド番号３０の３バイト〜５バイトの場合は、＃３０（３：５）と設定する。文字列を条件式に設定する場合は、「’（シングルクォーテーション）」で文字列を囲む。
【００２４】
画像を選択した場合には、そのまま画像ファイル名を入力する。画像を選択し、入力フィールドにレコードフィールドが選択された場合には、インターフェイスデータ作成時に、データ値.epsとしてファイル名を記録する。チェックデジットを入力する場合には、〈Ｃ〉と入力する。
まず、流し込み枠番号欄４２には、「１」を設定する。
テキストが選択された場合に、下矢印ボタンをクリックすると（操作［１］）、図５のような画面が表示される。フィールド選択欄４３には、先に設定した可変情報データの仕様設定のレコードレイアウトの内容（図３の内容）が表示される（操作［２］）ので、郵便番号に相当するものをマウスで選択して（操作［３］）、反転表示させる。そして、選択したフィールド番号と、相対バイト位置を表示させる（操作［４］）。
【００２５】
図６は、フィールド選択条件が存在しない場合（連結無し）を示す説明図である。
図６において、フィールドの場合は、下矢印ボタンをクリックして所望のフィールドを選択する（操作［１］）。文字の場合は、所望の文字列を入力する。
下矢印ボタン４３ａをクリックすると（操作［２］）、連結順序欄４５に、所望のフィールド番号が表示される（操作［３］）。連結順序に登録し、郵便番号フィールド以外に連結するものが無いので、さらに、下矢印ボタン４６ａをクリックする（操作［４］）。
【００２６】
そして、所望のフィールド番号＃１が表示されるので（操作［５］）、設定ボタンをクリックすることによって、出力グループ欄４７に、流し込み枠番号１に印刷するデータが登録されたことになる。
【００２７】
図７は、フィールド選択条件が存在しない場合（連結有り）を示す説明図である。
流し込み枠番号２は、図７に示すように、住所１，住所２，住所３のフィールドを順次連結するように設定を行い、その後に、連結オプションとして、空白無しで連結するように設定する。
【００２８】
図７において、フィールドの場合は、下矢印ボタンをクリックして所望のフィールドを選択する（操作［１］）。文字の場合は、所望の文字列を入力する。
下矢印ボタン４３ａをクリックすると（操作［２］）、所望のフィールド番号＃２が表示される（操作［３］）。
【００２９】
連結するものがフィールドの場合は、下矢印ボタンをクリックして所望のフィールドを選択する（操作［４］）。下矢印ボタン４３ａをクリックすると（操作［５］）、連結するフィールド番号＃３が表示される（操作［６］）。
全て連結したら、下矢印ボタン４６ａをクリックする。連結が終了していない場合には、操作［４］から操作［６］を繰り返す。
そして、連結順にフィールド番号＃２，＃３，＃４が表示されるので（操作［８］）、設定ボタン５１をクリックすることによって、出力グループ欄４７に、流し込み枠番号２に印刷するデータが登録されたことになる。
【００３０】
流し込み枠番号３は、氏名を設定するが、郵便番号と方法は同様である。
流し込み枠番号４は、男性でポイント数が５０点以下の人にはＡという画像を，男性でポイント数が５１点以上の人にはＢという画像を，女性でポイント数が５０点以下の人にはＣという画像を，女性でポイント数が５１点以上の人にはＤという画像を印刷するように設定する必要がある。
【００３１】
フィールドの値を仕様して、条件設定するには、図４におけるフィールド選択条件を設定すればよい。
フィルード選択条件欄４８は、編集対象となるテキストデータ、もしくは、画像データをマスターデータ中のデータ値によって選択する場合に、その条件を選定するためのものである。
フィールド選択条件欄４８は、水平方向に「ＡＮＤ」の論理演算子の状態、垂直方向に「ＯＲ」の論理演算子の状態をもつものとして設定を行なう。
【００３２】
ここで、「ＡＮＤ」，「ＯＲ」の論理演算テーブルの数は、仮に、最大５０個としてある。各フィールド内は、「＝」，「≠」，「＜」，「＞」，「≦」，「≧」のの関係演算子で条件式を設定する。各符号ボタンは、アクティブの設定フィールド内に入力表示し、エディタの使用を簡便にするものである。
【００３３】
レコードフィールドを条件式に設定する場合には、「＃」を頭につけて、レコードフィールド番号を入力する。例えば、フィールド番号３０の場合は、＃３０と設定する。
レコードフィールドにおいて、フィールド中のバイト位置を指定する場合は、「（相対的なフィールド開始位置：相対的なフィールド終了位置）」として設定する。例えば、フィールド番号３０の３バイト〜５バイトの場合は、＃３０（３：５）と設定する。
文字列を条件式に設定する場合は、「’（シングルクォーテーション）」で文字列を囲む。
【００３４】
図８は、本実施形態に係るフィールド条件の設定例を示す説明図である。
図８において、〈１〉に示すように、フィールド番号１の３バイト目が「０」で、かつ、フィールド番号２が「０」の場合に、フィールド番号５を出力する。
〈２〉に示すように、フィールド番号１の３バイト目が「１」または「２」で、かつ、フィールド番号２が「１」の場合に、フィールド番号６（Ｎ（１０））を出力する。
〈３〉に示すように、フィールド番号１の３バイト目が「０」以外で、かつ、フィールド番号１の３バイト目が「１」以外ので、かつ、フィールド番号３が「大日本印刷」の場合に、フィールド番号７の１０バイト目〜２０バイト目を出力する。
【００３５】
図９は、本実施形態に係るフィールド選択条件の設定例を示す説明図である。
図９において、〈１〉に示すように、性別フラグの「０」（男性）で、かつ、ポイント数が５０点以下の場合に、画像Ａを出力する。
〈２〉に示すように、性別フラグの「０」（男性）で、かつ、ポイント数が５１点以上の場合に、画像Ｂを出力する。
〈３〉に示すように、性別フラグの「１」（女性）で、かつ、ポイント数が５０点以下の場合に、画像Ｃを出力する。
〈４〉に示すように、性別フラグの「１」（女性）で、かつ、ポイント数が５１点以上の場合に、画像Ｄを出力する。
【００３６】
このようにして、プリント条件を指定すると、プリント条件ファイルが生成される。
図１０は、プリント条件ファイルのファイルフォーマット及び実施例を示す図である。
図１０のファイルフォーマットにおいて、例えば、ｖａｒ＿ｎｏは、流し込み枠を指定する識別子である。
ｄ＿ｔｙｐｅは、データタイプを記録する識別子であって、テキストの場合には「Ｔ」、画像の場合はには「Ｉ」を記録する。
ｆ＿ｓｅｌｅｃｔは、フィールド選択条件を記録する識別子である。記録内容は、定義画面と同様の方法をとり、横方向にＡＮＤ条件，縦方向にＯＲ条件を設定する。ＡＮＤ条件が複数存在する場合には、カンマで区切り、ＯＲ条件が複数存在する場合には、ｆ＿ｓｅｌｅｃｔ識別子を複数連続して記録する。
ｏ＿ｄａｔａは、出力グループの１つを、連結順に記録する識別子であり、複数のデータを連結する場合には、カンマで区切る。
ｃ＿ｏｐｔｉｏｎは、連結オプションを記録する識別子である。有効文字（空白付き）の場合は、「１」を、有効文字（空白無し）の場合には「２」を記録する。フィールドを連結して、連結オプションが設定されていない場合には、「０」を記録する。
【００３７】
データ編集処理部２２では、可変情報ファイル１２とプリント条件ファイル１３を利用して、可変情報ファイル１２中の先頭から１レコードづつ処理して行き、プリント条件ファイル１３に応じて、必要なデータを抽出／変換して、各個人に応じて印刷すべき情報を作成して行き、バリアブルデータファイル１５を作成する。
【００３８】
図１１は、バリアブルデータファイルのデータフォーマットと実施例を示す図である。
データ編集処理部２２で作成するバリアブルデータは、流し込み枠に入る必要最小限のデータで構成されるものとし、各流し込み枠どうしの識別を行うキャラクタは、カンマを使用する。
このカンマセパレートの第１フィールドは、レコードシーケンス番号となる。カンマセパレートの第２フィールド以降は、印刷するバリアブルデータを意味し、テキストデータか、画像データかの識別は、枠の属性設定側で指定する。
画像データは、画像ファイル名をそのまま設定する。拡張子は、”．ｅｐｓ”とする。
「Ｖ０００１」，「Ｖ０００２」等は、流し込み枠番号を意味する。ある編集フィールドに対して、印刷するデータがない場合には、カンマを続ける必要はなく、印刷するデータが存在する編集フィールド番号をとびとびで記録してかまわない。ファイル構造における改行コードは、０ｘ０ｄ０ａとする。
カンマセパレートの最終フィールドのデータは、カンマを使用せずに、改行コードで判別する。
【００３９】
次に、図１に戻って、流し込み処理に入る。流し込み部２５は、レイアウト指示ファイル１４の内容と、画像情報ファイル１１と、バリアブルデータファイル１５を使用して、レイアウト指示ファイル１４で指定された各流し込み位置に、バリアブルデータファイル１５中の内容を流し込みする。
【００４０】
流し込み部２５は、流し込み枠の属性を参照して、テキストの場合は、バリアブルデータファイル１５中のテキストデータを読み、レイアウト指示ファイル１４に設定されている書体，文字サイズ，文字色，貼り込み角度に基づいて流し込む。
また、画像の場合は、バリアブルデータファイル１５中に指定されている画像ファイル名の画像をレイアウト指示ファイル１４に設定されている揃え位置に従って流し込み処理を行う。
【００４１】
それぞれバリアブルデータファイル１５の１レコードづつ処理し、各個人に応じた紙面データを作成して行く。フルカラープリンタ２７に対するインターフェイスがポストスクリプト言語であれば、流し込み処理は、各個人に応じた紙面データをポストスクリプトによって生成する。
【００４２】
流し込み処理部２５からの各個人の紙面データは、印刷用データハンドリング部２６に出力され、印刷用データハンドリング部２６は、各個人に応じた印刷紙面データをフルカラープリンタ２７（２７Ａ，２７Ｂ，２７Ｃ）に送信し、フルカラープリンタ２７は、個人属性に応じた印刷媒体を出力することになる。この印刷媒体は、出力後に、加工製本機２８を通すことによって、パーソナルカタログやパーソナルメール等のパーソナル媒体６に加工される。
【００４３】
図１２は、本実施形態に係るパーソナル媒体（パーソナルメール）を示した図である。
このパーソナルメール６０は、印刷媒体としてのはがきの表面に、郵便番号欄６１と、住所欄６２と、氏名欄６３が設けられ、裏面に、商品画像欄６４が設けられたものである。
【００４４】
【発明の効果】
以上詳しく説明したように、本発明によれば、顧客の様々な属性情報を利用して、各顧客に応じたパーソナル媒体を、物件が異なった場合においても、従来のプログラム開発を個別に行うこと無く、ノンプログラミングによって作成することができる、という効果がある。
【図面の簡単な説明】
【図１】本発明の一実施形態に係る可変プリントシステムの基本構成を示すブロック図である。
【図２】本実施形態に係る可変情報データの一例を説明する図である。
【図３】本実施形態に係る可変情報データの設定内容を示す図である。
【図４】本実施形態に係る流し込み枠の設定画面の一例を示す図である。
【図５】本実施形態にフィールド選択欄の設定画面の一例を示す図である。
【図６】フィールド選択条件が存在しない場合（連結無し）を示す説明図である。
【図７】フィールド選択条件が存在しない場合（連結有り）を示す説明図である。
【図８】本実施形態に係るフィールド条件の設定例を示す説明図である。
【図９】本実施形態に係るフィールド選択条件の設定例を示す説明図である。
【図１０】プリント条件ファイルのファイルフォーマット及び実施例を示す図である。
【図１１】バリアブルデータファイルのデータフォーマットと実施例を示す図である。
【図１２】本実施形態に係るパーソナル媒体（パーソナルメール）を示した図である。
【符号の説明】
１  得意先
２  仕様書（設計書）
３  データ仕様書
４  レイアウト指示書
５  カラー原稿
６  パーソナル媒体
１１  画像情報ファイル
１２  可変情報ファイル
１３  プリント条件ファイル
２２  データ編集処理部
２３  プリント条件指定処理部
２４  レイアウト指示処理部
２５  流し込み処理部
４０  設定画面
４１  テキスト／画像選択欄
４２  流し込み枠欄
４３  フィールド欄
４４，４６  矢印欄
４５  連結順序欄
４７  出力グループ欄
４８  フィールド選択欄
４９  設定オプション欄
【図１】
0003955118.tif 000002
【図２】
0003955118.tif 000003
【図３】
0003955118.tif 000004
【図４】
0003955118.tif 000005
【図５】
0003955118.tif 000006
【図６】
0003955118.tif 000007
【図７】
0003955118.tif 000008
【図８】
0003955118.tif 000009
【図９】
0003955118.tif 000010
【図１０】
0003955118.tif 000011
【図１１】
0003955118.tif 000012
【図１２】
0003955118.tif 000013